(57)【要約】【課題】部材が特に丁寧に取り扱われる分類・搬送装置を提供する。【解決手段】分類ポット（１２）の壁（２１）に開口（２２）が形成されており、該開口を通って供給部材（２０）が分類ポット（１２）に突入しており、これにより、部材（１）が供給部材（２０）から分類ポット（１２）の底部（１５）に到達するようにした。【選択図】図１
2004345861.tif 000002
【特許請求の範囲】
【請求項１】
分類・搬送装置（１０）であって、分類ポット（１２）が設けられており、該分類ポット（１２）が、この分類ポットにもたらされる部材（１）を振動によって分類し且つ後置された装置へ供給するようになっており、更に、前記部材（１）のためのリザーバ（１８）と、前記部材（１）を分類ポット（１２）に供給するための供給部材（２０）とが設けられている形式のものにおいて、
分類ポット（１２）の壁（２１）に開口（２２）が形成されており、該開口を通って供給部材（２０）が分類ポット（１２）に突入しており、これにより、部材（１）が供給部材（２０）から分類ポット（１２）の底部（１５）に到達するようになっていることを特徴とする、分類・搬送装置。
【請求項２】
供給部材（２０）が、分類ポット（１２）の底部（１５）の領域内で開口している、請求項１記載の分類・搬送装置。
【請求項３】
供給部材（２０）が、横断面Ｕ字形で形成されており且つ分類ポット（１２）壁（２１）と固定的に結合されている、請求項１又は２記載の分類・搬送装置。
【請求項４】
供給部材（２０）に、リザーバ（１８）と協働する供給溝（１９）が突入している、請求項１から３までのいずれか１項記載の分類・搬送装置。
【発明の詳細な説明】
【技術分野】
【０００１】
本発明は、一般に公知のような分類・搬送装置であって、分類ポットが設けられており、該分類ポットが、この分類ポットにもたらされる部材、特に薬品容器のための密閉部材を振動によって分類し且つ後置された装置へ供給するようになっており、更に、前記部材のためのリザーバと、前記部材を分類ポットに供給するための供給部材とが設けられている形式のものに関する。
【背景技術】
【０００２】
この公知の装置は、配向されずに蓄えられた部材を分類し且つ後置された装置へ供給するために使用される。つまり、このような装置は、例えば分離ポットに蓄えられた密閉栓を、これらの密閉栓を薬品容器に被せ嵌めて密閉する後置された密閉ステーションに供給するために、製薬産業でも使用される。部材を手で分類ポットにもたらして使用するので、部材は規定された時間又は規定された加工工程数に関して足りていた。更に、部材を装置の分類ポットに、大きなリザーバから当該部材を供給される搬送溝を介して供給することが公知である。このように使用することは、製薬産業では特に、分類・搬送装置が特にいわゆるアイソレータ内の無菌条件下で使用される場合に公知である。アイソレータ内では、空気はできるだけ無菌性であるのが望ましいので、部材、特に密閉栓を手で供給せずに済むと有利である。それというのも、さもなければ作業員がアイソレータ内を支配するクリーンルーム条件を損なう恐れがあるからである。請求項１の上位概念記載の公知の分類・搬送装置における欠点は、アイソレータ内を支配する、無菌性を生ぜしめるための空気の層流が、分類ポットの上位に配置された供給溝によって妨害されており、その結果、アイソレータ内のクリーンルーム条件の維持を困難にする乱流が生ぜしめられるという点にある。更に、部材が搬送溝から分離ポットの底部に落下する際の衝撃に基づいて、当該部材から微小粒子が剥離する恐れがある。
【発明の開示】
【発明が解決しようとする課題】
【０００３】
本発明の課題は、前記の公知の欠点を回避することにある。
【課題を解決するための手段】
【０００４】
この課題を解決するために本発明では、分類ポットの壁に開口が形成されており、該開口を通って供給部材が分類ポットに突入しており、これにより、部材が供給部材から分類ポットの底部に到達するようにした。
【発明の効果】
【０００５】
請求項１の特徴部に記載の構成を有する本発明による分離・搬送装置は、部材が特に丁寧に取り扱われるという利点を有している。更に、本発明による分離・搬送装置は、アイソレータ内若しくはクリーンルーム条件下での使用において、アイソレータ内を支配する空気流に影響を及ぼす程度、若しくは該空気流を妨害する程度が著しく低いという利点を有している。それというのも、分類ポットの上位に配置された構成部材が空気の層流を妨害することはないからである。
【０００６】
本発明による分類・搬送装置の更に別の有利な改良は、従属請求項に記載されている。
【発明を実施するための最良の形態】
【０００７】
以下に、本発明を実施するための最良の形態を図面につき詳しく説明する。
【０００８】
図示の装置１０は、特にいわゆるアイソレータ内のクリーンルーム条件下で、製薬産業における密閉部材１を分類し且つ搬送するために使用される。この場合、密閉部材１は、特にゴム栓又はねじキャップと理解される。これらのゴム栓又はねじキャップは、密閉部材１を例えば薬品で満たされた容器に被せ嵌めることができるようにするために、例えば密閉装置等の後置された装置の装置１０によって、規定された位置へ供給する必要がある。装置１０は、振動搬送駆動装置１１と、この振動搬送駆動装置１１の上面に配置された分類ポット１２とを有している。この分類ポット１２の内壁１３には渦巻き状の巻き条１４が形成されており、この巻き条１４は、分類ポット１２の振動に基づきこの分類ポット１２の底部１５から上方に沿って搬送される密閉部材１を所望の形式で配向するために役立ち、この場合、巻き条１４において誤って配向された密閉部材１は、分類ポット１２の底部１５に落下し戻る。巻き条１４の上端部には、例えば密閉部材１を後置された密閉装置に供給する導出溝１６が続いている。ここまで説明した分類ポット１２は既に公知である。
【０００９】
分類ポット１２はリザーバ１８から密閉部材１を供給される。リザーバ１８の下位には供給溝１９が配置されており、この供給溝１９に密閉部材１はリザーバ１８の底部に設けられた孔を介して到達する。供給溝１９も、やはり振動によって、密閉部材１が分類ポット１２に向かって搬送されるように駆動される。
【００１０】
供給溝１９は、分類ポット１２と固定的に結合された供給通路２０に突入している。このために、分類ポット１２はその壁２１に開口２２を有しており、この開口２２を介して横断面Ｕ字形の供給通路２０が分類ポット１２に突入している。更に、有利には供給溝１９と供給通路２０との間に数ｍｍの水平方向のギャップが（場合によっては密閉部材１の大きさに関連して）形成されており、これにより、不純粒子が除去されて、供給通路２０に到達する恐れはなくなる。供給通路２０と分類ポット１２の壁２１との間の固定的な結合は、特に溶接によって行われる。密閉部材１が供給溝１９から供給通路２０を介して分類ポット１２へ到達できるようにするためには、供給通路２０が水平に対してやや傾斜して配置されている。更に、分類ポット１２に突入している供給通路２０の一方の端部２３は、ほぼ移行部無しで分類ポット１２の底部１５に移行しているので、密閉部材１は供給通路２０から分類ポット１２への移行部において落下するのではなく、むしろ分類ポット１２に滑り込む。
【図面の簡単な説明】
【００１１】
【図１】本発明による分類・搬送装置の簡略化された斜視図である。
【００１２】
【図２】図１に示した装置の縦断面図である。
【符号の説明】
【００１３】
１  密閉部材、  １０  装置、  １１  振動搬送駆動装置、  １２  分類ポット、  １３  内壁、  １４  巻き条、  １５  底部、  １６  導出溝、  １８  リザーバ、  １９  供給溝、  ２０  供給通路、  ２１  壁、  ２２  開口
【図１】
2004345861.tif 000003
【図２】
2004345861.tif 000004